(57)【要約】【課題】入院患者ごとに割り振られる１本のメモリースティックにて、患者使用の所定電気機器の使用に対する課金を入院から退院まで管理することのできるシステムを提供する。【解決手段】不揮発性メモリーとリアルタイムクロックを内蔵したメモリースティックと、該メモリースティックに対する患者データの入力および消去を可能とする管理用コンピューターと、各病室内に設置されるとともに、メモリースティック内のデータ表示手段および接続された室内電気機器作動のためのスイッチとを有するコントローラーを設け、メモリースティックに記憶された電気機器使用データを管理用コンピューターにて認識することにより課金することを特徴とする。【選択図】図１
2009277208.tif 000002
【特許請求の範囲】
【請求項１】
不揮発性メモリーとリアルタイムクロックを内蔵したメモリースティック内に患者に関わる各データを記憶させ、該データに基づいて，ＣＰＵを内蔵したコントローラーを介して、該コントローラーに接続された所定の電気機器の作動をコントロールするとともに、該電気機器の使用時間をメモリースティックに記憶させることにてこの記憶されたデータに基づく課金を可能とすることを特徴とする病室内電気機器の課金管理方法。
【請求項２】
不揮発性メモリーとリアルタイムクロックを内蔵したメモリースティックと、該メモリースティックに対する患者データの入力および消去を可能とする管理用コンピューターと、各病室内に設置されるとともに、メモリースティック内のデータ表示手段および接続された室内電気機器作動のためのスイッチとを有するコントローラーを設け、メモリースティックに記憶された電気機器使用データを管理用コンピューターにて認識することにより課金することを特徴とする病室内電気機器の課金管理システム。
【発明の詳細な説明】
【技術分野】
【０００１】  この発明は、病室内のテレビや冷蔵庫等の電気を使用する機器に対する使用料金すなわち課金の管理手段に関する。
【背景技術】
【０００２】  従来より、病室内の患者が使用するテレビや冷蔵庫などの電気機器に対する課金手段としてプリペイドカードが多用されているが、本発明にて示すように、メモリースティックを使用する課金手段は現在のところ見あたらない。
【発明の開示】
【発明が解決しようとする課題】
【０００３】  一般に、病院内の病室には入院患者のためのテレビや冷蔵庫が装備されており、患者は所定の使用料を払ってこれらの機器を使用している。この使用料の支払いについては既述のようなプリペイドカードが多用されている。これは、病院フロア等に設置されている券売機からプリペイドカードを購入し、このカードをカードタイマーなどに差し込み、時間管理にてこれらの機器を使用する方式である。しかし、このプリペイドカードの残高がゼロになると、再度このカードを購入もしくはカードへのデータ書き込みをしなければならない。購入時においては、入院患者が高齢者や歩行困難な場合では券売機まで歩いていくのが苦痛のため、看護師や患者の家族に依頼して購入しなければならないという問題を有している。
本発明は、以上のような従来からの課金支払いシステムに関わる課題を解決するために発明されたもので、専用のメモリースティックおよびコントローラー（病室内端末）を用いることにて、この不便さを解消できる新規かつ有用なる課金支払い手段を提供することを目的として開発されたものである。
【課題を解決するための手段】
【０００４】  課題を解決する手段として本発明は以下の構成とした。
すなわち、本発明の一つは、不揮発性メモリーとリアルタイムクロックを内蔵したメモリースティック内に患者に関わる各データを記憶させ、該データに基づいて，ＣＰＵを内蔵したコントローラーを介して、該コントローラーに接続された所定の電気機器の作動をコントロールするとともに、該電気機器の使用時間をメモリースティックに記憶させることにてこの記憶されたデータに基づく課金を可能とすることを特徴とする病室内電気機器の課金管理方法である。また、本発明の他の一つは、不揮発性メモリーとリアルタイムクロックを内蔵したメモリースティックと、該メモリースティックに対する患者データの入力および消去を可能とする管理用コンピューターと、各病室内に設置されるとともに、メモリースティック内のデータ表示手段および接続された室内電気機器作動のためのスイッチとを有するコントローラーを設け、メモリースティックに記憶された電気機器使用データを管理用コンピューターにて認識することにより課金することを特徴とする病室内電気機器の課金管理システムである。
【発明の効果】
【０００５】  本発明によれば、メモリースティックに患者に関わる各データを記憶させ、このデータに基づいてテレビや冷蔵庫等を使用するとともに、使用時間が該メモリースティック内に記憶され、この記憶されたデータに基づいて所定電気機器の使用に対する課金を行うシステムのため、一本のメモリースティックにて入院から退院までの使用管理を行うことができ、従来のプリペイドカード方式のように残高ゼロによるカードの再購入等を必要としない有用なる課金システムを提供することができる。また、このメモリースティック内データを初期化することにてこのスティックを何度でも繰り返して使用することができる。
【発明を実施するための最良の形態】
【０００６】  以下、本発明の実施形態について説明する。
まず、本発明に使用する各機器について説明する。
図において、１は管理用コンピューター（ＰＣ）で、市販のパソコンであり、本発明使用のための専用プログラムがインストールされる。２はこの管理用コンピューターと後述のメモリースティック間でデータのやりとりをするためのリーダーライター（市販品）であり、メモリースティックを挿入接続するための挿入口を有している。この管理用コンピューターとリーダーライターはケーブル接続される。３はメモリースティックで、その内部に不揮発性メモリとリアルタイムクロックおよび電池を有しており、互いに関連づけられている。４は各病室内に設置されるコントローラーである。このコントローラーにはＣＰＵおよび接続される電気機器制御のためのリレーが内蔵され、その外部にメモリースティック挿入口５，テレビ用スイッチ６，冷蔵庫用スイッチ７、日付表示部８、カードＩＤ表示部９、冷蔵庫使用回数表示部１０、テレビ使用回数表示部１１が設けられる。また、電気機器接続のためのコンセント（図示略）が設けられる。２１は市販のテレビ受像器、２２は市販の冷蔵庫である。
以上が本発明に関わる各機器であり、管理用コンピューターおよびリーダーライターは受付など病院内の特定個所に設置され、コントローラーと電気機器（テレビ、冷蔵庫等）は各病室内に設置され、互いに接続される。また、各電気機器には電力が供給される。
本発明使用に際しては、まず入院時に患者用のメモリースティックが選択され、リーダーライターに挿入接続した後、管理用コンピューター操作にてメモリースティック内のデータがリセットされ、現在時刻の設定がなされ、新たに患者用のデータ（入院日付、患者ＩＤ、テレビ使用予定日数、冷蔵庫使用予定日数）が入力され、記憶される。
次に、このデータが入力されたメモリースティックを病室に運び、コントローラーの挿入口に挿入接続すると、既述の表示部に各データが表示される。コントローラー付属のテレビスイッチや冷蔵庫スイッチを投入することにてこれらの機器が作動を開始して利用することができる。退院時や一時精算時はこのメモリースティックをコントローラーから抜き取り、リーダーライターに挿入して管理用コンピューターを操作することにて機器使用状況が把握され、機器使用料を精算することができる。【０００７】  次に、本発明使用時におけるデータ処理について説明する。
入院処理時は、図３のごとく、まずメモリースティック内データの初期化が行われ、患者データ等の入力・設定がなされる。（図中、ＤＢとは各患者データの集積を意味する）  前払い処理時は、図４のごとく患者要望のテレビ使用回数（日数）および冷蔵庫使用回数の設定を行い、設定分の使用料を患者が支払う。メモリースティックを患者病室内のコントローラーに挿入すると、図５〜図９のごとくデータチェックおよび設定が行われ、各表示部に表示がなされる。コントローラー付属のスイッチを投入することにて接続された各電気機器の使用が可能となる。なお、図１０は使用途中での変更時、図１３は管理用コンピューターデータ読み出し時、図１４〜図１５はログ書き込み時のデータ処理図である。
また、使用予定回数はコントローラー表示部に数字にて表示されるが、使用とともにこの数字は減算処理表示され、この予定回数を超過して使用した場合は、この数字がマイナス表示され、退院時に精算することができる。
以上、本発明について記したが、本発明はデータ書き込みおよびリセット可能なる不揮発性メモリーにリアルタイムクロックを付加したメモリースティックを用いることにて、テレビや冷蔵庫等の予想される使用回数の書き込み設定が可能であるとともに、この予想回数を超過して使用した場合においてもそのデータがメモリーに記憶されるために、プリペイドカードのような残高ゼロによる再購入等が不要であり、初期設定のみにて退院まで病室内の所定電気機器を自由に使用できる有用なるシステムを得ることができるものである。また、メモリースティックにはリアルタイムクロックと電池が内蔵されており、クロック機能は常に保持されている。図２中の有料パルスとは、有料放送を視聴する場合であり、図６中の特別期間とは、年末年始などにテレビ視聴期間の視聴可能時間の延長を示すものである。（通常、病院側で１日あたりの視聴時間設定がなされる）なお、既述の例は本発明実施の一例であり、近似の他の構成としてもよい。以上のごとく、本発明によって患者への利便性に富む課金手段を得ることができる。
【図面の簡単な説明】
【０００８】
【図１】本発明の各機器配置概要説明図
【図２】本発明の各機器概要説明図
【図３】本発明の患者入院時におけるデータ処理説明図
【図４】本発明の患者入院時における前払いデータ処理説明図
【図５】本発明のメモリースティックをコントローラーに接続したときのデータ処理説明図
【図６】本発明のメモリースティックをコントローラーに接続したときのテレビ使用時間設定時のデータ処理説明図
【図７】本発明のメモリースティックをコントローラーに接続したときの端末時間チェックのデータ処理説明図
【図８】本発明のメモリースティックをコントローラーに接続したときの端末時間処理のデータ処理説明図
【図９】本発明のメモリースティックをコントローラーに接続したときの端末時間処理のデータ処理説明図
【図１０】本発明のメモリースティック使用者の利用変更時のデータ処理説明図
【図１１】本発明のメモリースティック使用者の精算処理時のデータ処理説明図
【図１２】本発明のメモリースティック使用者の退院時のデータ処理説明図
【図１３】本発明における管理用コンピューターによるメモリースティック内データ読み出し時のデータ処理説明図
【図１４】本発明におけるログ書き込み時のデータ処理説明図
【図１５】本発明におけるログ書き込み時のデータ処理説明図
【符号の説明】
【０００９】  １    管理用コンピューター
２    リーダーライター
３    メモリースティック
４    コントローラー（端末）
５    メモリースティック挿入口
６    テレビ用スイッチ
７    冷蔵庫用スイッチ
８    日付表示部
９    カードＩＤ表示部
１０  冷蔵庫使用回数表示部
１１  テレビ使用回数表示部
２１  テレビ
２２  冷蔵庫
【図１】
2009277208.tif 000003
【図２】
2009277208.tif 000004
【図３】
2009277208.tif 000005
【図４】
2009277208.tif 000006
【図５】
2009277208.tif 000007
【図６】
2009277208.tif 000008
【図７】
2009277208.tif 000009
【図８】
2009277208.tif 000010
【図９】
2009277208.tif 000011
【図１０】
2009277208.tif 000012
【図１１】
2009277208.tif 000013
【図１２】
2009277208.tif 000014
【図１３】
2009277208.tif 000015
【図１４】
2009277208.tif 000016
【図１５】
2009277208.tif 000017